(57)【特許請求の範囲】
【請求項１】
精米機器を格納した機械室と精米機の利用者が入る客室とを仕切り壁を隔てて同じ建屋内に備える精米設備において、
建屋内を照明する照明部と、
客室内における利用者の在室を検出する人検出部と、前記精米機の運転状態を検出する運転検出部と、
前記照明部、前記人検出部及び前記運転検出部に接続された制御部を更に備え、
前記制御部は、前記人検出部が在室を検出すると前記照明部を点灯し、前記照明部が点灯中に前記人検出部が在室を検出しなくなった後に前記照明部を消灯するよう制御する第１の制御と、
前記運転検出部が、前記精米機の運転を検出している間は、前記人検出部の在室の検出の有無に拘わらず前記照明部を点灯する第２の制御を備え、
さらに、前記制御部は、前記第１の制御を実行して前記照明部を点灯した後、所定の時間を経過しても前記運転検出部が前記精米機の運転を検出しない場合、前記人検出部が利用者の在室を検出していても前記照明部を消灯する第３の制御を備え、かつ、
前記第３の制御が設定時間内に所定回数連続して実行されると、前記人検出部の検出感度を下げるよう制御することを特徴とする精米設備。
【発明の詳細な説明】
【技術分野】
【０００１】
本発明は、セルフ式精米設備に関する。
【背景技術】
【０００２】
ユニットハウスやプレハブハウスのような建屋内に精米機器を備え、利用者が自由に建屋内に出入りし、持ち込んだ玄米の量に応じた料金をコインやクレジットカード等で支払って精米機器により精米を行う、無人のセルフ式精米設備が知られている（特許文献１）。セルフ式精米設備の建屋は、客室と機械室とに仕切られ、客室側には精米機器の操作パネル、料金投入口、玄米投入口等が、また機械室には精米用の機械類が、それぞれ配設されている。
【０００３】
そして、客室側に照明が備えられている構成が開示されている。
【先行技術文献】
【特許文献】
【０００４】
【特許文献１】特開２００６−２９７３４２号公報
【発明の概要】
【発明が解決しようとする課題】
【０００５】
本発明は、セルフ式の精米設備において、設備内の照明を適切に行うことを課題とする。
【課題を解決するための手段】
【０００６】
上記の目的を達成するために、請求項１の発明は、  精米機器を格納した機械室と精米機の利用者が入る客室とを仕切り壁を隔てて同じ建屋内に備える精米設備において、建屋内を照明する照明部と、
客室内における利用者の在室を検出する人検出部と、前記精米機の運転状態を検出する運転検出部と、前記照明部、前記人検出部及び前記運転検出部に接続された制御部を更に備え、
前記制御部は、前記人検出部が在室を検出すると前記照明部を点灯し、前記照明部が点灯中に前記人検出部が在室を検出しなくなった後に前記照明部を消灯するよう制御する第１の制御と、前記運転検出部が、前記精米機の運転を検出している間は、前記人検出部の在室の検出の有無に拘わらず前記照明部を点灯する第２の制御を備え、さらに、前記制御部は、前記第１の制御を実行して前記照明部を点灯した後、所定の時間を経過しても前記運転検出部が前記精米機の運転を検出しない場合、前記人検出部が利用者の在室を検出していても前記照明部を消灯する第３の制御を備え、かつ、
前記第３の制御が設定時間内に所定回数連続して実行されると、前記人検出部の検出感度を下げるよう制御することを特徴とする精米設備を提供する。
【発明の効果】
【００１０】
請求項１の発明によれば、制御部は、人検出部が在室を検出すると照明部を点灯し、照明部が点灯中に人検出部が在室を検出しなくなった後に照明部を消灯するよう照明部を制御するので、照明部の点灯時間は、利用者が客室に入室すると照明部が点灯し、退出すると照明が消灯される。したがって、照明部の不要な点灯を抑え、省エネ効果が得られる。
更に、制御部は、運転検出部が精米機の運転を検出している間は、人検出部が在室を検出しなくなっても、照明部の点灯を継続するよう照明部を制御する。その結果、精米機の運転中は、例えば、所用により一時的に利用者が客室外に出た場合であっても、照明が点灯する。そのため、利用者に安心感を与えることができ、利用者の利便性が向上する。
さらに、制御部は、前記第１の制御を実行して前記照明部を点灯した後、所定の時間を経過しても前記運転検出部が前記精米機の運転を検出しない場合、前記人検出部が利用者の在室を検出していても前記照明部を消灯する第３の制御を備えるので、人検知部が人を誤検出して照明部が点灯したり、精米目的以外で精米設備に入り込んだ人を人検知部が検出したりしても、所定時間の経過後に消灯するため、無駄なエネルギーの消費を抑えて、設備本来の使用目的に沿ったエネルギーの使用を促進することができる。
さらに、制御部は、第３の制御が設定時間内に所定回数連続して実行されると、前記人検出部の検出感度を下げるよう制御する。その結果、照明部の点灯後に強制消灯制御により消灯することが頻発する状況を、人検出部の検出感度が高すぎて誤検出をしていると判断して、人検出部の検出感度を下げて誤検出を防止することができるので、利用者の誤検出による照明部の不要な点灯を抑止し、電力の浪費を抑えることができる。
【図面の簡単な説明】
【００１４】
【図１】本発明の実施の形態にかかるセルフ式精米設備の外観図である。
【図２】図１のセルフ式精米設備の縦断面図である。
【図３】本発明の実施の形態にかかる照明装置のブロック図である。
【図４】制御部の照明制御を示すフローチャートである。
【図５】図２の機械室内部を示す説明図である。
【図６】図２の客室内部を示す説明図である。
【図７】（ａ）人検出部の感度を下げた場合の説明図である。（ｂ）図７（ａ）の場合よりも人検出部の感度を下げた場合の説明図である。
【発明を実施するための形態】
【００１５】
本発明の実施の形態を図に基づいて説明する。
図１は、本発明の実施の形態にかかるセルフ式精米設備１の一例であり、客室２０１に通じる一般用出入口１０１と、機械室２０２に通じる業務用出入口１０２を備える。
【００１６】
図２において、セルフ式精米設備１の建屋内は、仕切板２０３によって、客室２０１と機械室２０２に分かれている。客室２０１は精米のために利用者が出入りする建屋内の部屋であり、機械室２０２には、精米のための精米機器５００が配設される。
【００１７】
図３は、セルフ式精米設備１の照明装置３００のブロック図であり、照明装置３００は、客室２０１内における利用者の在室を検出する人検出部３０１、精米機５０６の運転状態を検出する運転検出部３０２、客室２０１と機械室２０３の照明する照明部３０４と、人検出部３０１、運転検出部３０２、照明部３０４に接続された制御部３０３を備える。
【００１８】
次に各構成について説明する。
人検出部３０１は、客室２０１内の利用者の在室を検出する。人検出部３０１は、例えば、建屋内に配設された１以上の人感センサである。また、人検出部３０１は、人の在室を検出する条件として、所定間隔における人の連続検知回数を任意に定めることができ、これによって、人検出の感度を調整することができる構成とする。
【００１９】
例えば、人検出部３０１は、１００ミリ秒間隔で客室２０１内の人検知を行い、５回人が連続で検知されることを、客室２０１内の利用者の在室を検出する条件として設定することができる。そして、検出感度を上げたい場合は、人の在室を検出する条件として、所定の時間間隔における人検知の回数を減らせばよく、検出感度を下げたい場合は、人検出信号をオンとする人検知の回数を増やせばよい。
例えば、１００ミリ秒間隔で客室２０１内の人検知を行い、５回人が連続で検知されることを、人の在室を検出する条件として設定していた場合、条件を５回よりも減らせば、人検出の感度が上がるが、感度が上がった分、誤検出の可能性は高まる。逆に、５回よりも増やせば、人検出の感度が下がるが、検出の精度は高まる。
【００２０】
運転検出部３０２は、精米機５０６の運転状態を検出する。運転状態とは、運転、停止、異常停止のいずれかをいう。運転検出部３０２は、例えば、精米機５０６が備えるコインセンサやモータセンサなどの情報を組み合わせてＣＰＵで処理し、精米機５０６の稼働状態や異常状態を判断することにより実現される。
【００２１】
照明部３０４は、照明部３０４は客室２０１側の光源３０５と機械室２０２側の光源３０５を備え、それぞれの光源３０５は、制御部３０３により点灯または消灯するよう制御されて建屋内の照明を行う。機械室側の光源３０５は、機械室２０２側に設ける手動スイッチ（図示せず）でも点灯又は消灯可能に構成している。
【００２２】
制御部３０３は、人検出部３０１と運転検出部３０２の検出結果に応じて、客室２０１で利用者が検出されるときは客室２０１内の光源３０５を点灯し、検出されないときは消灯するとともに、精米機５０６の運転中は、客室２０１で人が検出されないときであっても客室２０１内の光源３０５が点灯状態となるよう照明部３０４を制御する。このとき、省エネ効果の観点から、客室内２０１の光源３０５のみを点灯し、機械室の光源３０５は消灯する構成が望ましい。この制御部３０３は、例えばＣＰＵ等で構成される。
【００２３】
次に、セルフ式精米設備１の機械室２０２に配設された精米機器５００の装置各部の概要について図４を用いて説明する。
精米機器５００は、利用者が客室２０１から玄米を投入する投入ホッパ５０１と、投入ホッパ５０１内の玄米を繰り出すロータリバルブ５０２と、ロータリバルブ５０２で繰り出された玄米を揚穀する第一昇降機５０３と、第一昇降機５０３で揚穀した玄米に混じる石を選別する石抜機５０４と、石抜機５０４を通過した玄米を揚穀する第二昇降機５０５と、第二昇降機５０５で揚穀した玄米を精米する精米機５０６と、精米機５０６で精米処理された精白米を収容する白米タンク５０７を設ける。投入ホッパ５０１の近傍には投入ホッパ５０１の投入口を閉鎖・開放する開閉扉５０８を備える。
客室２０１側には、料金投入口６０３及び精白度選択スイッチ６０２が設けられる。
【００２４】
具体的に、制御部３０３の動作を、図４のフローチャートを用いて説明する。
【００２５】
玄米を持参した利用者が客室２０１へ入ると、人感センサによる人検出部３０１が利用者の在室を検出し（ステップＳ４０１）、客室２０１側の照明３０５が点灯する（ステップＳ４０２）。照明３０５が点灯してから利用者が設定時間（例えば５分）以内に料金投入口６０３に料金を投入すると（ステップＳ４０３）、設定時間（例えば１０秒）ロータリバルブ５０２と第一昇降機５０３が駆動し、投入ホッパ５０１内の前の利用者の残留玄米を除去するクリーニングモードを行った後、一旦停止する（ステップＳ４０４）。次いで、開閉扉５０８が開いて、利用者は、持参玄米を投入ホッパ５０１に投入可能となる（ステップＳ４０５）。
【００２６】
照明部３０４が点灯した後、設定時間内に利用者が料金を投入しないと、精米運転する意思無し、又は誤検出と制御部３０３は判定し、人検出部３０１が在室を検出していても照明３０５を消灯する（ステップＳ４０３でＮｏ）。また、料金を投入したことを検出後、設定時間内に精米運転の開始の信号を検出しない場合には釣銭口６０４から投入料金が返却され、開閉扉５０８が閉鎖されると共に、照明部３０４を消灯する構成としてもよい。
【００２７】
照明３０４の点灯後、利用者が投入ホッパ５０１に玄米を投入し、精白度選択スイッチ６０２で所望の精白度を選択すると（ステップＳ４０５）、ロータリバルブ５０２と第一昇降機５０３の運転が再開し、石抜機５０４及び精米機５０６等の装置各部の運転が開始され、投入した料金に対応する運転時間、精米運転が行われる（ステップＳ４０６）。
精米運転中は、照明部３０４は点灯を継続し、精米運転中に利用者が買物等の所用で客室２０１から離れ、人検出部３０１が客室２０１に人の在室を検出しなくなったとしても、照明３０１の点灯を継続する。これにより、利用者に安心感を与えることができる。
【００２８】
投入ホッパ５０１に玄米が無くなることを玄米有無検出センサ５０９で検出したことによる精米運転の終了後に、利用者が客室２０１から離れたことを人検出部３０１が検出するか（ステップＳ４１３でＮｏ）、または、人検知部３０１が人を検出している状態でも精米運転の終了後、設定時間（例えば５分）が経過すると照明部３０４は消灯する（ステップＳ４１４でＮｏ）。また、消灯に伴い、開閉扉５０８の閉鎖動作が行われる。
精米運転中に、精米機５０６等の機器が詰まり等による異常停止信号を検出した場合（精米機異常停止）には（ステップＳ４０７でＹｅｓ）、人検出部３０１が客室２０１の人を検出しなくなったとしても照明点灯を継続する（ステップＳ４０８及びステップＳ４０９）。これにより、精米設備の管理者が精米設備のメンテナンス等で機械室２０２内に入り、客室２０１に人が居なくても客室２０１の光源３０５が点灯を継続するため、消灯によるメンテナンスの妨げになることは無い。
【００２９】
また、投入料金に対応する運転時間が経過し、投入ホッパ５０１内に玄米が残った状態で運転が停止した場合（精米運転料金切れ停止）には、利用者が追加の料金を投入すると精米運転が開始されるが（ステップＳ４１２でＹｅｓ）、追加の料金を投入しない状態で、客室２０１の利用者の在室を検出しなくなると照明部３０４は消灯する（ステップＳ４１５）。また、開閉扉１６の閉鎖動作が行われる。この場合、投入ホッパ５０１に残留した玄米は、次の利用者の利用時のクリーニングモードで除去されることになる。
なお、人検出部３０１の人感センサの検出の感度に関して、人を検知して照明３０５が点灯しているのに、精米運転信号が検出されないで消灯することが、設定時間（例えば１時間以内）に複数回連続で続くと、人感センサの感度が高すぎることによる誤検出と判定し、客室２０１の利用者の在室を検出する人検知の回数を増やして人検出の感度を下げても良い。すなわち、図７（ａ）に示されるように、人検知センサが所定時間に５回検知したことを人検出する条件としている場合は、この条件を、図７（ｂ）に示されるように、１０回の検出とすることで、人検出の検出感度を下げる。これによって、客室２０１内の人の検出精度は増す。その結果、誤検出か否かの判定を良好にできるため、誤検出であれば、早期に誤りを修正し消灯できる。その結果、無駄なエネルギー消費を抑え、省エネ効果が得られる。
【００３０】
ここで、セルフ式精米設備１における利用者の利便性を更に高める方法として、電子マネーの決済システムを搭載したコイン精米機を配設し、タッチ式操作パネルの構成を工夫することが考えられる。ここで、利用者は、精米機５０８利用の流れとして、精米機５０８の利用前に金額の決済を行い、次に、ボタンによって、精米の白度を決定するプロセスを想定する。
【００３１】
第一に、利用者が、決済ボタン６０１を押すと、決済後に、精米の白度を決定する精白度選択スイッチ６０２を点灯する構成である。これにより、使用者のボタン操作の理解を助け、利便性が向上する。
【００３２】
第二に、利用者が、電子マネーでの決済を決定した場合において、決済ボタン２０を操作パネルに表示し、決済ボタンを押すと、決済後に、前記決済ボタンを精米の白度を決定する白度ボタンとする構成である。これにより、白度ボタンに決済ボタンの機能を設けることで、新規に別のボタンを設ける必要がなくなり、操作パネルの操作性が向上する。
【００３３】
第三に、利用者が、電子マネーでの決済を決定した場合において、まず精白度選択スイッチ６０２を点灯させ、操作パネルに表示し、精白度選択スイッチ６０２を押すと１単価分の料金を引き落とし、精米開始後においても、利用者が、更に、電子マネーでの決済を決定した場合においては、操作パネルの連続操作を可能とし、２単価目以降の引き落としタイミングで順次、連続決済を可能とする構成である。これにより、決済タイミングを限定でき、必要に応じた連続決済により利用者の利便性が向上する。
【符号の説明】
【００３４】
１  セルフ式精米設備
１０１  客室出入口
１０２  機械室出入口
２０１  客室
２０２  機械室
２０３  仕切板
３００  照明装置
３０１  人検出部
３０２  運転検出部
３０３  制御部
３０４  照明部
３０５  光源
５００  精米機器
５０１  投入ホッパ
５０２  ロータリバルブ
５０３  第一昇降機
５０４  石抜機
５０５  第二昇降機
５０６  精米機
５０７  白米タンク
５０８  開閉扉
６０１  決済ボタン
６０２  精白度選択スイッチ
６０３  料金投入口
６０４  釣銭口
【図１】
0006555089.tif 000002
【図２】
0006555089.tif 000003
【図３】
0006555089.tif 000004
【図４】
0006555089.tif 000005
【図５】
0006555089.tif 000006
【図６】
0006555089.tif 000007
【図７】
0006555089.tif 000008